(57)【特許請求の範囲】
【請求項１】
受信機と送信機の間で無線通信を行うために使用する割り当て無線リソース決定方法であって、
前記送信機と前記受信機との間の無線通信路品質から品質指標値を計算するステップと、
所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定するステップと、
を備え、
前記第１の選択処理および前記第２の選択処理のうちの一方は、他方の選択結果に対して選択処理を実行することを特徴とする割り当て無線リソース決定方法。
【請求項２】
前記第２の選択処理は、前記第１の選択処理の選択結果に対して実行されることを特徴とする請求項１に記載の割り当て無線リソース決定方法。
【請求項３】
前記第１の選択処理は、前記第２の選択処理の選択結果に対して実行されることを特徴とする請求項１に記載の割り当て無線リソース決定方法。
【請求項４】
前記第２の選択処理は、所定数のリソースブロックを割り当て候補として選択することを特徴とする請求項１〜３の何れか１項に記載の割り当て無線リソース決定方法。
【請求項５】
前記所定数のリソースブロックは、通信路品質の低いリソースブロックを削除した結果として得られることを特徴とする請求項４記載の割り当て無線リソース決定方法。
【請求項６】
前記第２の選択処理は、帯域当りの送信ビット指標を計算し、前記帯域当りの送信ビット指標が所定の基準値以上のリソースブロックを割り当て候補として選択することを特徴とする請求項１〜３の何れか１項に記載の割り当て無線リソース決定方法。
【請求項７】
前記第２の選択処理は、帯域当りの送信ビット指標を計算し、前記帯域当りの送信ビット指標が最大となるリソースブロックを割り当て候補として選択することを特徴とする請求項１〜３の何れか１項に記載の割り当て無線リソース決定方法。
【請求項８】
受信機と送信機の間で無線通信を行うために使用する割り当て無線リソース決定装置であって、
前記送信機と前記受信機との間の無線通信路品質から品質指標値を計算する計算手段と、
所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、
を備え、
前記決定手段において、前記第１の選択処理および前記第２の選択処理のうちの一方は、他方の選択結果に対して選択処理を実行することを特徴とする割り当て無線リソース決定装置。
【請求項９】
受信機と、
送信機と、
前記受信機と前記送信機の間で無線通信を行うために使用する割り当て無線リソースを決定する割り当て無線リソース決定装置と、
を備え、
前記割り当て無線リソース決定装置は、
前記送信機と前記受信機との間の無線通信路品質から品質指標値を計算する計算手段と、
所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、
を備え、
前記決定手段において、前記第１の選択処理および前記第２の選択処理のうちの一方は、他方の選択結果に対して選択処理を実行することを特徴とする無線通信システム。
【請求項１０】
受信機と送信機の間で無線通信を行うために使用する割り当て無線リソースを決定する装置のコンピュータに、
前記送信機と前記受信機との間の無線通信路品質から品質指標値を計算する機能と、
所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する機能と、
前記第１の選択処理および前記第２の選択処理のうちの一方は、他方の選択結果に対して選択処理を実行する機能と
を実行させるためのコンピュータプログラム。
【発明の詳細な説明】
【技術分野】
【０００１】
本発明は、割り当て無線リソース決定方法、割り当て無線リソース決定装置、無線通信システム、およびコンピュータプログラム。
【背景技術】
【０００２】
３ＧＰＰのＬＴＥなどの無線通信システムにおける一般的なスケジューラは、送信情報ビット数を向上させるために、通信路品質に応じて割り当て指標を計算し、その割り当て指標に従って無線リソースを割り当てる。上記において、３ＧＰＰは、３ｒｄ  Ｇｅｎｅｒａｔｉｏｎ  Ｐａｒｔｎｅｒｓｈｉｐ  Ｐｒｏｊｅｃｔの略であり、ＬＴＥは、Ｌｏｎｇ  Ｔｅｒｍ  Ｅｖｏｌｕｔｉｏｎの略である。一方、消費電力の低減を目的とした省電力スケジューラも検討されている。例えば、非特許文献１には、ＣＳＤＰ（Ｃｈａｎｎｅｌ  Ｓｔａｔｅ  Ｄｅｐｅｎｄｅｎｔ  Ｐａｃｋｅｔ）スケジューラが開示されている。
【０００３】
非特許文献１記載のスケジューラは、通信路品質が高い受信機を優先してリソース割り当てを行うことで省電力化を実現する。図１２は、非特許文献１に記載されるスケジューラにおける無線リソースの割り当て方法を説明する図である。図１２から諒解されるように、該スケジューラは、通信路品質の指標として受信機の受信信号レベルＰｒを用いて受信機の通信路品質を判定する。受信信号レベルＰｒがしきい値Ｐｔｈ以上の場合はＧｏｏｄ  Ｓｔａｔｅと判定し、受信信号レベルＰｒがしきい値Ｐｔｈ未満の場合はＢａｄ  Ｓｔａｔｅと判定する。そして、該スケジューラは、Ｇｏｏｄ  Ｓｔａｔｅと判定された受信機に対して優先的に無線リソースを割り当てる。Ｇｏｏｄ  Ｓｔａｔｅの受信機を優先することで、単位電力当りの送信レートが増加する。その結果、送信時間を短縮できるので、省電力化を実現できる。
【０００４】
しかしながら、非特許文献１記載のスケジューラにおいて、受信機の数が多い場合にはＢａｄ  Ｓｔａｔｅ受信機への無線リソース割り当てがなかなか行われないため、受信処理が遅れ、Ｂａｄ  Ｓｔａｔｅ受信機の要求遅延を満足できなくなる可能性がある。反対に、受信機の数が少ない場合にはＢａｄ  Ｓｔａｔｅ受信機にも頻繁に無線リソースが割り当てられることになるため、単位電力当たりの送信レートが低下し、結果として、省電力効果を十分に得ることができなくなる虞がある。
【０００５】
一方、非特許文献２は、通信路品質と要求遅延とを考慮して割り当てを行なうことで、要求遅延を満足しつつ送信情報ビット数を最大化するためのスケジューラを提案する。非特許文献２記載のスケジューラは、ＰＨＹ層（Ｐｈｙｓｉｃａｌ  ｌａｙｅｒ）で測定した通信路品質とＭＡＣ層（Ｍｅｄｉａ  Ａｃｃｅｓｓ  Ｃｏｎｔｒｏｌ  ｌａｙｅｒ）で測定した許容遅延までの余裕時間から割り当て指標を計算し、割り当て指標に従って無線リソースを割り当てる。
【０００６】
ここで、通信路品質を用いた、ＬＴＥにおける下りリンクの無線リソース割り当て手順について説明する。帯域の割り当て単位をＲＢ（Ｒｅｓｏｕｒｃｅ  Ｂｌｏｃｋ）と呼ぶ。端末は、通信路品質情報としてＣＱＩ（Ｃｈａｎｎｅｌ  Ｑｕａｌｉｔｙ  Ｉｎｄｉｃａｔｏｒ）を基地局に報告する。ＬＴＥの仕様では、複数の連続したＲＢから構成されるＲＢＧ（ＲＢ  Ｇｒｏｕｐ）が規定されおり、ＣＱＩは連続した複数のＲＢＧ単位で報告される。ＣＱＩは、データチャネルの通信路品質を量子化したもので、ＬＴＥの仕様においてテーブルとして定義されている（非特許文献３）。ＣＱＩのテーブルには目標誤り率を達成する変調方式、符号化率、伝送効率が与えられており、ＣＱＩ  Ｉｎｄｅｘは伝送効率が低いものから昇順に決められている。変調方式や符号化率が与えられているので、目標誤り率を達成するのに必要な通信路品質ＳＩＮＲ（Ｓｉｇｎａｌ  ｔｏ  Ｎｏｉｓｅ  ｐｌｕｓ  Ｉｎｔｅｒｆｅｒｅｎｃｅ  Ｒａｔｉｏ）を計算しておくことができる。端末は、通信路品質を測定し、目標誤り率を達成できる範囲において、最も伝送効率が高いＣＱＩ  Ｉｎｄｅｘを基地局へ報告する。
【０００７】
基地局は、割り当て可能なＲＢの中から端末への割り当てＲＢを決定し、決定した割り当てＲＢと報告されたＣＱＩから送信データサイズＴＢＳ（Ｔｒａｎｓｐｏｒｔ  Ｂｌｏｃｋ  Ｓｉｚｅ）を決定する。基地局は、端末に対して、割り当てＲＢと、ＴＢＳテーブルのＩｎｄｅｘに該当するＭＣＳ（Ｍｏｄｕｌａｔｉｏｎ  ａｎｄ  Ｃｏｄｉｎｇ  Ｓｃｈｅｍｅ）のＩｎｄｅｘと、を通知する。非特許文献３に記載されているように、ＬＴＥの仕様には、ＭＣＳ  ＩｎｄｅｘからＴＢＳ  Ｉｎｄｅｘへの変換について定義されている。基地局は、同一端末の割り当てＲＢに対しては、同一の変調方式と符号化率、即ち同一ＭＣＳを適用する。
【０００８】
ＭＣＳ  Ｉｎｄｅｘは、次のようにして決定される。まず、割り当てＲＢの各ＣＱＩを用いて、割り当てＲＢの平均的な通信路品質が計算される。平均的な通信路品質としては、ＳＩＮＲを用いるのが一般的である。即ち、各ＲＢのＣＱＩに対応する所要ＳＩＮＲを用いて、割り当てＲＢの平均的なＳＩＮＲを計算する。基地局は、ＲＢ数毎のＴＢＳテーブルを保有している。テーブルには、ＣＱＩと同様に、ＴＢＳのＩｎｄｅｘ毎の変調方式、符号化率、伝送効率、必要なＳＩＮＲなどが与えられている。通常、基地局は、平均的なＳＩＮＲを用いて、所要の誤り率を達成できる最大のＴＢＳを選択する。
【先行技術文献】
【非特許文献】
【０００９】
【非特許文献１】Ｐ．  Ｂｈａｑｗａｔ、  Ｐ．  Ｂｈａｔｔａｃｈａｒｙａ、  Ａ．  Ｋｒｉｓｈｎａ、  ａｎｄ  Ｓ．  Ｋ．  “Ｔｒｉｐａｔｈｉ、  “Ｅｎｈａｎｃｉｎｇ  ｔｈｒｏｕｇｈｐｕｔ  ｏｖｅｒ  ｗｉｒｅｌｅｓｓ  ＬＡＮｓ  ｕｓｉｎｇ  ｃｈａｎｎｅｌ  ｓｔａｔｅ  ｄｅｐｅｎｄｅｎｔ  ｐａｃｋｅｔ  ｓｃｈｅｄｕｌｉｎｇ、”  ＩＥＥＥ  Ｐｒｏｃ．  ＩＮＦＯＣＯＭ  ’９８、  Ｖｏｌ．３、  ｐｐ．  １１０３−１１１１、  Ｓａｎ  Ｆｒａｎｃｉｓｃｏ、  ＣＡ、  ＵＳＡ、  Ｍａｒｃｈ  １９９８．
【非特許文献２】Ｙ．  Ｊ．  Ｚｈａｎｇ  ａｎｄ  Ｓ．  Ｃ．  Ｌｉｅｗ、  ”Ｌｉｎｋ−ａｄａｐｔｉｖｅ  ｌａｒｇｅｓｔ−ｗｅｉｇｈｔｅｄ−ｔｈｒｏｕｇｈｐｕｔ  ｐａｃｋｅｔ  ｓｃｈｅｄｕｌｉｎｇ  ｆｏｒ  ｒｅａｌ−ｔｉｍｅ  ｔｒａｆｆｉｃｓ  ｉｎ  ｗｉｒｅｌｅｓｓ  ＯＦＤＭ  ｎｅｔｗｏｒｋｓ、”  ｉｎ  Ｐｒｏｃ．  ＩＥＥＥ  Ｇｌｏｂａｌ  Ｔｅｌｅｃｏｍｍｕｎｉｃａｔｉｏｎｓ  Ｃｏｎｆ．、  ｖｏｌ．  ５、  ｐｐ．  ５−９、  Ｓｔ．  Ｌｏｕｉｓ、  ＭＯ、  ２００５．
【非特許文献３】３ＧＰＰ  ＴＳ  ３６．２１３  Ｖ８．８．０  （２００９−０９）、  ３ＧＰＰ  ＴＳＧ  ＲＡＮ  ＥＵＴＲＡＮ  Ｐｈｙｓｉｃａｌ  ｌａｙｅｒ  ｐｒｏｃｅｄｕｒｅｓ．、  ｐｐ．２５−３３、４７−４８
【発明の概要】
【発明が解決しようとする課題】
【００１０】
非特許文献１と非特許文献２とを組み合わせた組み合わせ技術により、非特許文献１が抱える課題の１つ（受信機の数が多い場合にＢａｄ  Ｓｔａｔｅ受信機の要求遅延を満足することができない）は解決される。しかしながら、上記組み合わせ技術では、非特許文献１が抱える他の課題（受信機の数が少ない場合に省電力効果が十分に得られない）は、依然として解決されない。その理由は、上記組み合わせ技術は、受信機の数が少ない場合においてＢａｄ  Ｓｔａｔｅ受信機に頻繁に無線リソースが割り当てられる現象を回避できないからである。
【００１１】
更に、上記組み合わせ技術を、例えば、ＬＴＥの下りリンクに適用した場合、帯域当たりの送信情報ビット数が低下し、省電力効果が十分に得られないという問題が予想される。帯域当たりの送信情報ビット数が低下する理由について説明する。図１３は、非特許文献１と非特許文献２とを組み合わせた場合のスケジューラの課題を説明するための図であり、詳細には、割り当てられるＲＢＧ候補と通信路品質との関係を示す図である。図１３において、横軸は周波数（各ＲＢＧ候補の帯域）を示し、縦軸は通信路品質を示す。該スケジューラは、ＲＢＧ単位で割り当てを行うものとする。また、図１３において、黒丸は、各ＲＢＧの通信路品質を示している。上記スケジューラでは、単位時間当たりの送信データサイズが最大となるようにリソースの割り当て候補が決定されるため、通信路品質が高いＲＢＧに対して相対的に通信路品質が低いＲＢＧも含めた割り当てが行なわれる場合がある。例えば、図１３に示すように、割り当て可能なＲＢＧ１−７のうち通信路品質が低いＲＢＧ２とＲＢＧ５を含めた割り当てが行われる。ここで、ＬＴＥでは、複数のＲＢＧを同一端末に割り当てる場合、割り当てＲＢＧの平均的な通信路品質を用いてＭＣＳを決定する。従って、割り当て帯域に低い通信路品質をもつＲＢＧ（例えば、図１３におけるＲＢＧ２およびＲＢＧ５）が含まれていると、伝送効率の高いＭＣＳが選択できなくなる。その結果、帯域当たりの送信情報ビット数が低下する。
【００１２】
本発明は、送信情報ビット数を高めながら省電力化を実現することが可能な、無線リソース割り当て方法、無線リソース割り当て装置、無線通信システム、およびコンピュータプログラムを提供することを目的とする。
【課題を解決するための手段】
【００１３】
本発明の割り当て無線リソース決定方法は、受信機と送信機の間で無線通信を行うために使用する割り当て無線リソース決定方法であって、前記送信機と前記受信機との間の無線通信路品質から品質指標値を計算するステップと、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定するステップと、を備え、前記第１の選択処理および前記第２の選択処理のうちの一方は、他方の選択結果に対して選択処理を実行する。
【００１４】
本発明の割り当て無線リソース決定装置は、受信機と送信機の間で無線通信を行うために使用する割り当て無線リソース決定装置であって、前記送信機と前記受信機との間の無線通信路品質から品質指標値を計算する計算手段と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、を備え、前記決定手段において、前記第１の選択処理および前記第２の選択処理のうちの一方は、他方の選択結果に対して選択処理を実行する。
【００１５】
本発明の無線通信システムは、受信機と、送信機と、前記受信機と前記送信機の間で無線通信を行うために使用する割り当て無線リソースを決定する割り当て無線リソース決定装置と、を備え、前記割り当て無線リソース決定装置は、前記送信機と前記受信機との間の無線通信路品質から品質指標値を計算する計算手段と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、を備え、前記決定手段において、前記第１の選択処理および前記第２の選択処理のうちの一方は、他方の選択結果に対して選択処理を実行する。
【００１６】
本発明のコンピュータプログラムは、受信機と送信機の間で無線通信を行うために使用する割り当て無線リソースを決定する装置のコンピュータに、前記送信機と前記受信機との間の無線通信路品質から品質指標値を計算する機能と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する機能と、前記第１の選択処理および前記第２の選択処理のうちの一方は、他方の選択結果に対して選択処理を実行する機能とを実行させる。
【発明の効果】
【００１７】
本発明によれば、送信情報ビット数を高めながら省電力化を実現することが可能となる。
【図面の簡単な説明】
【００１８】
【図１】本発明の第１の実施形態の無線通信システムの構成例を示すブロック図である。
【図２】本発明の第１の実施形態における割り当て部の動作手順例を示すフローチャートである。
【図３】本発明の第１の実施形態の割り当て部における割り当てＲＢＧ候補の選択動作の具体例を説明するための図である。
【図４】本発明の第２の実施形態における割り当て部の動作手順例を示すフローチャートである。
【図５】本発明の第２の実施形態の割り当て部における、割り当てＲＢＧ候補の選択動作の具体例を説明するための図である。
【図６】本発明の第３の実施形態の無線通信システムの構成例を示すブロック図である。
【図７】本発明の第３の実施形態における割り当て部の動作手順例を示すフローチャートである。
【図８】本発明の第３の実施形態の割り当て部における、割り当てＲＢＧ候補の選択の動作の具体例を説明するための図である。
【図９】本発明の第４の実施形態の無線通信システムの構成例を示すブロック図である。
【図１０】本発明の第４の実施形態における割り当て部の動作手順例を示すフローチャートである。
【図１１】本発明の第５の実施形態の無線リソース割り当て装置の構成例を示すブロック図である。
【図１２】非特許文献１に記載されるスケジューラにおける無線リソースの割り当て方法を説明する図である。
【図１３】非特許文献１と非特許文献２とを組み合わせた場合のスケジューラの課題を説明するための図であり、詳細には、割り当てられるＲＢＧ候補と通信路品質との関係を示す図である。
【発明を実施するための形態】
【００１９】
［第１の実施形態］
本実施形態では、ＬＴＥの下りリンクを例に説明する。また、下りリンクの場合の無線アクセス方式は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）であるので、隣接していないＲＢを割り当てることができる。なお、本実施形態では、割り当て単位をＲＢＧとする。
【００２０】
図１は、本発明の第１の実施形態における無線通信システムの構成例を示すブロック図である。本無線通信システムは、基地局１００と、端末２００とを含む。下りリンクの場合、基地局１００は送信機として機能し、端末２００は受信機として機能する。基地局１００と端末２００は無線回線を介して接続される。基地局１００は、端末２００以外の端末（不図示）と接続することができる。また、基地局１００は、ネットワーク（不図示）を介して、他の基地局（不図示）と接続されている。
【００２１】
基地局１００は、送受信部１０１と、リファレンス信号発生部１０２と、割り当て部１０３とを備える。
【００２２】
送受信部１０１は、一般的な基地局の送受信部と同等の機能を有している。さらに、本実施形態において、送受信部１０１は、割り当て部１０３から通知される無線リソース割り当て情報に基づいた端末２００へのデータ送信を行う。さらに、送受信部１０１は、リファレンス信号発生部１０２で発生したリファレンス信号の端末２００への送信、端末２００から通知される通信路品質情報の割り当て部１０３への通知などを行う。本実施形態では、ＲＢ毎の送信電力は予め設定された固定値を割り当てる。また、本実施形態では、通信路品質情報の一例としてＣＱＩを用いる。
【００２３】
リファレンス信号発生部１０２は、リファレンス信号を所定のタイミングで発生させるとともに、該発生したリファレンス信号を送受信部１０１へ送信する。
【００２４】
割り当て部１０３は、送受信部１０１から通知されるＣＱＩに基づいて端末２００への割り当てＲＢＧを選択し、選択された割り当てＲＢＧについての情報を含む無線リソース割り当て情報を送受信部１０１に送信する。
【００２５】
割り当て部１０３は、割り当て決定部１０４と、第１割り当て候補選択部１０５と、第２割り当て候補選択部１０６とを備える。
【００２６】
割り当て決定部１０４は、送受信部１０１を介して端末２００から受信したＣＱＩから品質指標を計算する。割り当て決定部１０４は、第１割り当て候補選択部１０５へ、計算した品質指標および割り当てＲＢＧ候補（この場合、更新前の割り当てＲＢＧでもよく、あるいは、例えば、第２割り当て候補選択部１０６によって更新された割り当てＲＢＧ候補でもよい）を入力する。割り当て決定部１０４には、第１割り当て候補選択部１０５から、更新された割り当てＲＢＧ候補が入力される。また、割り当て決定部１０４は、第２割り当て候補選択部１０６へ、ＣＱＩおよび割り当てＲＢＧ候補（この場合、更新前の割り当てＲＢＧ候補でもよく、あるいは、例えば、第１割り当て候補選択部１０５によって更新された割り当てＲＢＧ候補でもよい）を入力する。割り当て決定部１０４には、第２割り当て候補選択部１０６から、更新された割り当てＲＢＧ候補が入力される。そして、割り当て決定部１０４は、第１割り当て候補選択部１０５および第２割り当て候補選択部１０６の双方によって更新された割り当てＲＢＧ候補を端末２００への割り当てＲＢＧとして選択する。割り当て決定部１０４は、割り当てＲＢＧとＭＣＳ  Ｉｎｄｅｘとを含む無線リソース割り当て情報を、送受信部１０１へ入力する。
【００２７】
第１割り当て候補選択部１０５は、品質指標に基づいて、割り当て決定部１０４から入力された割り当てＲＢＧ候補の中から送信情報ビット数が高いＲＢＧ候補を選択し、選択したＲＢＧ候補を割り当て決定部１０４へ通知する。なお、本実施形態では、送信情報ビット数としてＴＢＳを用いる。
【００２８】
第２割り当て候補選択部１０６は、ＲＢＧ数削除率Ｒ＿ＲｂｇＲｅｄｕｃｅを設定する機能を有する。第２割り当て候補選択部１０６は、ＲＢＧ数削除率Ｒ＿ＲｂｇＲｅｄｕｃｅとＣＱＩとを用いて割り当て決定部１０４から入力された割り当てＲＢＧ候補の中から帯域当たりの送信ビット指標が高いＲＢＧ候補を選択し、選択したＲＢＧ候補を割り当て決定部１０４へ通知する機能を有する。なお、本実施形態では、帯域当たりの送信ビット指標として、帯域当たりの送信情報ビット数（ＴＢＳ／ＲＢＧ数）を用いる。
【００２９】
端末２００は、送受信部２０１と通信路品質測定部２０２とを備える。
【００３０】
送受信部２０１は、一般的な端末の送受信部と同等の機能を有している。本実施形態において、送受信部２０１は、基地局１００から受信したリファレンス信号の通信路品質測定部２０２への通知や、通信路品質測定部２０２から通知される通信路品質情報の基地局１００への報告などを行う。
【００３１】
通信路品質測定部２０２は、リファレンス信号の通信路品質を測定し、送受信部２０１に通信路品質情報として報告する機能を有する。通信路品質情報としてＣＱＩを報告する。
【００３２】
図２は、第１の実施形態における割り当て部１０３の動作手順例を示すフローチャートである。
【００３３】
まず、割り当て決定部１０４は、各ＲＢＧの品質指標Ｍｅｔ（ｋ、ｉ、ｔ）の平均値ＡｖｅＭｅｔ（ｋ、ｔ）が最大となる端末を割り当て端末として選択する（ステップＳ１１）。ｋは端末番号、ｉはＲＢＧ番号、ｔは時刻を表す。ＡｖｅＭｅｔ（ｋ、ｔ）は、以下の式（１）を用いて計算することができる。
0005652193.tif 000002
【００３４】
品質指標の計算方法について説明する。本実施形態では、品質指標Ｍｅｔ（ｋ、ｉ、ｔ）として、ＰＦ（Ｐｒｏｐｏｒｔｉｏｎａｌ  Ｆａｉｒｎｅｓｓ）スケジューラのメトリックを用いる。ＰＦスケジューラは、伝搬路品質を用いることで、公平性を考慮しながら、スループット改善を実現するスケジューラである。Ｍｅｔ（ｋ、ｉ、ｔ）は、以下の式（２）を用いて計算することができる。
0005652193.tif 000003
【００３５】
ここで、ＴＢＳ＿ＲＢＧ（ｋ、ｉ、ｔ）は、時刻ｔ、ＲＢＧｉで送信可能なＴＢＳを示す。また、ＴＢＳ＿Ａｖｅ（ｋ、ｔ）は、時刻ｔにおける平均ＴＢＳを示す。ＴＢＳ＿ＲＢＧ（ｋ、ｉ、ｔ）は、ＣＱＩとＲＢ数を用いて、一意に計算されるＴＢＳ  Ｉｎｄｅｘから求められる（詳細は背景技術で説明）。また、ＴＢＳ＿Ａｖｅ（ｋ、ｔ）は、以下の式（３）を用いて計算することができる。
0005652193.tif 000004
【００３６】
ここで、δ（ｔ）は時刻ｔにおける割り当て指示子を示しており、データを送信する場合は１でそれ以外は０とする。また、ｗは平滑化の重み付け係数を示す。ＴＢＳ＿Ｉｎｓｔ（ｔ）は、時刻ｔで割り当てたＲＢＧのＴＢＳを示す。割り当てがなされない場合、ＴＢＳ＿Ｉｎｓｔ（ｔ）は、０となる。
【００３７】
図２の説明に戻り、割り当て決定部１０４は、割り当て可能な全ＲＢＧを対象に、割り当て端末の品質指標が最上位であるＲＢＧを割り当てＲＢＧ候補として選択する（ステップＳ１２）。
【００３８】
第１割り当て候補選択部１０５は、割り当て決定部１０４から入力された割り当てＲＢＧ候補の中からＴＢＳが最大となるＲＢＧの組み合わせを検索して割り当てＲＢＧ候補として選択し、更新された割り当てＲＢＧ候補として、割り当て決定部１０４へ出力する（ステップＳ１３）。
【００３９】
第２割り当て候補選択部１０６は、割り当て決定部１０４から通知される割り当てＲＢＧ候補（例えば、第１割り当て候補選択部１０５で更新された割り当て候補ＲＢＧ）とＲＢＧ数削減率Ｒ＿ＲｂｇＲｅｄｕｃｅとを用いて、削除するＲＢＧ数Ｎを以下の式（４）を用いて計算する（ステップＳ１４）。
0005652193.tif 000005
【００４０】
式（４）において、Ｎ＿ＲｂｇＣａｎｄは、割り当て決定部１０４から入力された割り当て候補ＲＢＧ数を表す。また、ｆｌｏｏｒ（ｘ）は、ｘを上回らない最大の整数を返す関数である。
【００４１】
第２割り当て候補選択部１０６は、割り当て決定部１０４から通知される割り当てＲＢＧ候補の中から品質指標が低い順にＮ個のＲＢＧを削除したＲＢＧ候補を、更新された割り当てＲＢＧ候補として、割り当て決定部１０４へ出力する（ステップＳ１５）。
【００４２】
割り当て決定部１０４は、第１割り当て候補選択部１０５および第２割り当て候補選択部１０６の双方によって更新された割り当てＲＢＧ候補を、ステップＳ１１において選択された端末に対して割り当てる（ステップＳ１６）。
【００４３】
図３は、第１の実施形態の割り当て部１０３における割り当てＲＢＧ候補の選択動作の具体例を説明するための図である。詳細には、図３は、本実施形態の割り当て部１０３における、品質指標が最上位であるＲＢＧを割り当てＲＢＧ候補として選択した後（図２においてＳ１２の処理後）から、最終的な割り当てＲＢＧ候補の選択が完了するまで（図２においてステップＳ１５の処理後）の具体的な動作例を示す。なお、本具体例では、ＲＢＧ数削除率Ｒ＿ＲｂｇＲｅｄｕｃｅを０．５に設定する。これにより、割り当てＲＢ数が最大半分になるので、送信遅延時間が最大で２倍になる。図３において、太破線で示す大四角形は各第１〜第３割り当てＲＢＧ候補を示し、実線で示す小四角内の各番号は各ＲＢＧのＣＱＩ  Ｉｎｄｅｘを示し、小四角の横の番号はＲＢＧ番号を示す。また、図３の下部において、各割り当て候補のＲＢＧ数、各割り当てＲＢＧ候補において選択できるＭＣＳ  ＩｎｄｅｘとＴＢＳ、帯域当たりの送信ビット指標を示す。本実施形態において、帯域当たりの送信ビット指標は、ＲＢＧ当たりのＴＢＳ（ＴＢＳ／ＲＢＧ数）とする。帯域当たりの送信ビット指標が高いほど、所定のデータサイズの送信に必要な延べＲＢＧ数を低減できるので、省電力効果が高くなる。
【００４４】
まず、図３において、ステップ１２処理後の割り当てＲＢＧ候補（すなわち、割り当て端末の品質指標が最上位のＲＢＧである割り当てＲＢＧ候補）を、第１割り当てＲＢＧ候補と定義する。そして、背景技術で示した方法で計算した結果、第１割り当てＲＢＧ候補のＭＣＳ  Ｉｎｄｅｘが１４となり、ＴＢＳが４５０ビットになったと仮定する。
【００４５】
図３に示すように、ステップＳ１３の処理が実行されることにより、第１割り当てＲＢＧ候補から、ＴＢＳが最大となる第２割り当てＲＢＧ候補が選択される。その結果、ＣＱＩが最も低いＲＢＧ＃４が候補から削除されることにより候補の平均的な通信路品質が大きくなる。従って、第２割り当てＲＢＧ候補は、第１割り当てＲＢＧ候補より大きいＭＣＳ  Ｉｎｄｅｘ（＝１５）を選択することができる。
【００４６】
次に、図３には示さないが、ステップＳ１４の処理が実行されることにより、削除するＲＢＧ数Ｎは、ｆｌｏｏｒ（６＊０．５）＝３と計算される。そして、図３に示すように、ステップＳ１５の処理が実行されることにより、第２割り当てＲＢＧ候補から、品質下位の３つのＲＢＧが削除された第３割り当てＲＢＧ候補が選択される。ステップＳ１３と同様の傾向で、ＣＱＩが低いＲＢＧが削除されることにより候補の平均的な通信路品質が大きくなり、その結果、第３割り当てＲＢＧ候補は、第２割り当てＲＢＧ候補に比べて大きいＭＣＳ  Ｉｎｄｅｘ（＝１７）を選択することができる。
【００４７】
本具体例から明らかなように、第３割り当てＲＢＧ候補において、帯域当たりの送信ビット指標は、ＴＢＳを最大化した第２割り当てＲＢＧ候補の８３から１３３へ改善する。
【００４８】
以上説明した第１の実施形態によれば、ＴＢＳを考慮して割り当てＲＢＧ候補を選択するため、送信情報ビット数を考慮したＲＢＧ選択ができる。さらに、第１の実施形態では、割り当てＲＢＧ候補から通信路品質の低いＲＢＧを削除するので、伝送効率の高いＭＣＳを選択することができ、その結果、送信に必要な延べＲＢＧ数が低減できるので、省電力化を実現できる。すなわち、以上説明した第１の実施形態によれば、送信情報ビット数を高めながら省電力化を実現することが可能となる。
【００４９】
［第２の実施形態］
第２の実施形態の第１の実施形態に対する違いは、図１に示す割り当て部１０３の動作が異なる点にあり、本実施形態における構成は第１の実施形態（図１）と同様である。従って、構成についての説明は省略し、以下、動作の違いについてのみ説明する。
【００５０】
図４は、本実施形態における、割り当て部１０３の動作手順例を示すフローチャートである。図４に示す本実施形態の動作手順例の場合、図２に示す第１の実施形態の動作手順例に対して、ステップＳ１３の処理がステップＳ１４およびステップＳ１５の処理が実行された後に実行される点が異なる。すなわち、第１の実施形態と第２の実施形態とでは処理の順番が異なる。なお、図４における各ステップＳ１１〜Ｓ１６の処理内容自体は、第１の実施形態（図２に示すフローチャート）と同様なので、ここでの説明は省略する。
【００５１】
図５は、第２の実施形態の割り当て部１０３における割り当てＲＢＧ候補の選択動作の具体例を説明するための図である。詳細には、図５は、本実施形態の割り当て部１０３における、品質指標が最上位であるＲＢＧを割り当てＲＢＧ候補として選択した後（図４においてＳ１２の処理後）から、最終的な割り当てＲＢＧ候補の選択が完了するまで（図４においてステップＳ１３の処理後）の具体的な動作例を示す。なお、第２の実施形態において、ＲＢＧ数削除率Ｒ＿ＲｂｇＲｅｄｕｃｅは、第１の実施形態と同様０．５とする。また、図５において、ステップ１２処理後の割り当てＲＢＧ候補（すなわち、割り当て端末の品質指標が最上位のＲＢＧである割り当てＲＢＧ候補）を、第１割り当てＲＢＧ候補と定義する。
【００５２】
まず、図５には示さないが、ステップＳ１４の処理が実行されることにより、削除するＲＢＧ数Ｎは、第１割り当て候補のＲＢＧ数とＲ＿ＲｂｇＲｅｄｕｃｅから、ｆｌｏｏｒ（７＊０．５）＝３と計算される。そして、図５に示すように、ステップＳ１５の処理が実行されることにより、第１割り当てＲＢＧ候補から、品質下位の３つのＲＢＧが削除された第２割り当てＲＢＧ候補が選択される。次に、図５に示すように、ステップＳ１３の処理が実行されることにより、第２割り当てＲＢＧ候補から、ＴＢＳが最大となる第３割り当てＲＢＧ候補が選択される。
【００５３】
以上説明した第２の実施形態によれば、一定値のＲＢＧ数の削減の下で、送信情報ビット数が最大となる割り当てＲＢＧ候補を選択することができる。
【００５４】
［第３の実施形態］
図６は、本発明の第３の実施形態における無線通信システムの構成例を示すブロック図である。図１に示す第１の実施形態の無線通信システムとの違いは、割り当て部１０３Ａの構成にある。割り当て部１０３Ａは、図１に示す割り当て部１０３を構成する第２割り当て候補選択部１０６に替えて第３割り当て候補選択部１０７を備える。
【００５５】
第３割り当て候補選択部１０７は、帯域当たりの送信ビット指標の目標値ＴＥ＿ｔａｒｇｅｔを設定する機能と、帯域当たりの送信ビット指標ＴＥを計算する機能と、を備える。さらに、第３割り当て候補選択部１０７は、ＴＥ＿ｔａｒｇｅｔとＴＥとＣＱＩとを用いて、割り当て決定部１０４から入力された割り当てＲＢＧ候補の中から帯域当たりの送信ビット指標が高いＲＢＧ候補を選択し、選択したＲＢＧ候補を割り当て決定部１０４へ通知する機能を有する。
【００５６】
図７は、本実施形態における割り当て部１０３の動作手順例を示すフローチャートである。図２に示す第１の実施形態の動作手順と比較すると、図７において、図２におけるステップＳ１４およびステップＳ１５に替えてステップＳ２１〜Ｓ２５が実行される。図７におけるその他の処理（ステップＳ１１〜Ｓ１３およびＳ１６）は、第１の実施形態と同じであるため、以下においてこれらの説明については省略する。
【００５７】
第３割り当て候補選択部１０７は、ステップＳ１３が実行された後に割り当て決定部１０４から通知される割り当てＲＢＧ候補（例えば、第１割り当て候補選択部１０５で更新された割り当て候補ＲＢＧ）の帯域当たりの送信ビット指標ＴＥ０を計算する（ステップＳ２１）。なお、本実施形態では、帯域当たりの送信ビット指標として、帯域当たりの送信情報ビット数（ＴＢＳ／ＲＢＧ数）を用いる。
【００５８】
次に、第３割り当て候補選択部１０７は、計算されたＴＥ０を用いて、以下の式（５）により、帯域当たりの送信ビット指標の目標値ＴＥ＿Ｔａｒｇｅｔを計算する（ステップＳ２２）。
0005652193.tif 000006
【００５９】
ここで、ａは改善率を示す係数で正の値とする。例えば、ａ＝１．２とすると、ＴＥ０に対する改善率は２０％となる。
【００６０】
次に、第３割り当て候補選択部１０７は、割り当てＲＢＧ候補から品質指標が最も低いＲＢＧを削除した候補の帯域当たりの送信ビット指標ＴＥを計算する（ステップＳ２３）。第３割り当て候補選択部１０７は、ＴＥとＴＥ＿ｔａｒｇｅｔを比較する（ステップＳ２４）。ＴＥがＴＥ＿Ｔａｒｇｅｔ未満の場合（ステップＳ２４においてＮｏ判定）、第３割り当て候補選択部１０７は、その時点の候補を割り当てＲＢＧ候補として更新（ステップＳ２５）し、ステップＳ２３を再び実行する。一方、ＴＥがＴＥ＿Ｔａｒｇｅｔ以上の場合（ステップＳ２４においてＹｅｓ判定）、第３割り当て候補選択部１０７は、その時点の候補を割り当て決定部１０４へ出力として返す。割り当て決定部１０４は、第３割り当て候補選択部１０７で更新された割り当てＲＢＧ候補を、選択された端末に割り当てる（ステップＳ１６）。
【００６１】
図８は、第３の実施形態の割り当て部１０３Ａにおける割り当てＲＢＧ候補の選択動作の具体例を説明するための図である。詳細には、図８は、本実施形態の割り当て部１０３Ａにおける、品質指標が最上位であるＲＢＧを割り当てＲＢＧ候補として選択した後（図７においてＳ１２の処理後）から、最終的な割り当てＲＢＧ候補の選択が完了するまで（図７においてステップＳ２４の処理後）の具体的な動作例を示す。なお、本具体例では、式（５）の改善率を示す係数ａを１．２とする。また、図８において、ステップ１２処理後の割り当てＲＢＧ候補（すなわち、割り当て端末の品質指標が最上位のＲＢＧである割り当てＲＢＧ候補）を、第１割り当てＲＢＧ候補と定義する。
【００６２】
まず、ステップＳ１３の処理が実行されることにより、第１割り当てＲＢＧ候補からＴＢＳが最大となる第２割り当てＲＢＧ候補が選択される。ステップＳ２１が実行されることにより、第２割り当てＲＢＧ候補の帯域当たりの送信ビット指標ＴＥ０は５００／６＝８３と計算される。ステップＳ２２が実行されることにより、第２割り当てＲＢＧ候補の帯域当たりの送信ビット指標の目標値ＴＥ＿Ｔａｒｇｅｔは８３＊１．２＝９９．６と計算される。ステップＳ２３が実行されることにより、第２割り当てＲＢＧ候補から品質下位のＲＢＧ＃７を削除した第３割り当てＲＢＧ候補の帯域当たりの送信ビット指標ＴＥが、４５０／５＝９０と計算される。ステップＳ２４において、ＴＥ（＝９０）がＴＥ＿Ｔａｒｇｅｔ（＝９９．６）未満と判定されるため、第３割り当てＲＢＧ候補を割り当て候補として更新し、ステップＳ２３から再度実行される。ステップＳ２３が再び実行されることにより、さらに、第３割り当てＲＢＧ候補から品質下位のＲＢＧ＃５を削除した第４割り当てＲＢＧ候補の帯域当たりの送信ビット指標ＴＥが、４２０／４＝１０５と計算される。この場合、ステップＳ２４において、ＴＥ（＝１０５）がＴＥ＿Ｔａｒｇｅｔ（＝９９．６）以上と判定されるため、第４割り当てＲＢＧ候補が、最終的な割り当てＲＢＧ候補として選択される。
【００６３】
以上説明した第３の実施形態によれば、第１の実施形態と同様に、ＴＢＳを考慮して割り当てＲＢＧ候補を選択するため、送信情報ビット数を考慮したＲＢＧ選択ができる。さらに、第３の実施形態では、割り当てＲＢＧ候補から通信路品質の低いＲＢＧを削除して、帯域当たりの送信ビット指標が基準値以上のリソースブロックを割り当て候補として選択する。従って、伝送効率の高いＭＣＳを選択することができ、その結果、送信に必要な延べＲＢＧ数が低減できるので、省電力化を実現できる。
【００６４】
［第４の実施形態］
図９は、本発明の第４の実施形態の無線通信システムの構成例を示すブロック図である。本実施形態は、第１の実施形態を上りリンクに適用した構成例である。上りリンクの場合、端末は送信機、基地局は受信機としてそれぞれ機能する。図９の基地局３００の割り当て部１０３Ｂにおいて、図１に示す第１割り当て候補選択部１０５に替えて第４割り当て候補選択部１０８が設けられる。また、図９に示すように、本実施形態の無線通信システムにおいて、図１では端末２００に存在した通信路品質測定部２０２が基地局３００に設けられる。一方、本実施形態の無線通信システムにおいて、図１では基地局１００に存在したリファレンス信号発生部１０２が端末４００に設けられる。
【００６５】
本実施形態において、端末４００を構成する送受信部２０１は、リファレンス信号発生部１０２で発生したリファレンス信号の基地局３００への送信や、基地局３００から通知されるスケジューリング情報に従った基地局３００へのデータ送信などを行う。
【００６６】
本実施形態において、上りリンクの無線アクセス方式は、ＳＣ−ＦＤＭＡ（Ｓｉｎｇｌｅ  Ｃａｒｒｉｅｒ  ＦＤＭＡ）であり、連続したＲＢ群を割り当てる。本実施形態における割り当て単位はＲＢとする。
【００６７】
図１０は、本実施形態における割り当て部１０３Ｂの動作手順例を示すフローチャートである。図２に示す第１の実施形態の動作手順例と比較すると、図１０において、図２におけるステップＳ１２に替えてステップＳ３１が実行される。また、割り当て単位は、ＲＢ単位である。図１０におけるその他の処理（ステップＳ１１、Ｓ１３〜Ｓ１６）は、第１の実施形態と同じであるため、以下においてこれらの説明については省略する。
【００６８】
第４割り当て候補選択部１０８は、割り当て可能な全ＲＢを対象に、連続したＲＢの中で、割り当て端末の品質指標が最大となるＲＢ群をＲＢ候補として選択する（ステップＳ３１）。
【００６９】
以上説明した第４の実施形態によれば、無線通信システムにおける上りリンクにおいても、第１の実施形態と同様に、送信情報ビット数を高めながら省電力化を実現することが可能となる。
【００７０】
［第５の実施形態］
図１１は、本発明の第５の実施形態の無線リソース割り当て装置５００の構成例を示すブロック図である。無線リソース割り当て装置５００は、受信機と送信機の間で無線通信を行うために使用する無線リソースを割り当てる装置である。無線リソース割り当て装置５００は、計算部５０２（計算手段）と、決定部５０４（決定手段）とを備える。
【００７１】
計算部５０２は、送信機と受信機との間の無線通信路品質から品質指標値を計算する。
【００７２】
決定部５０４は、第１の選択処理と第２の選択処理とを予め決定された順序で実行して、無線通信を行うための割り当てリソースブロックを決定する。第１の選択処理は、所定のリソースブロック群の中から上記品質指標値を用いて送信ビット数が大きいリソースブロックを割り当て候補として選択する。第２の選択処理は、所定のリソースブロック群の中から無線通信路品質が高いリソースブロックを割り当て候補として選択する。決定部５０４において、第１の選択処理および第２の選択処理のうちの一方は、他方の選択結果に対して選択処理を実行する。
【００７３】
以上説明した第５の実施形態の構成により、送信情報ビット数を高めながら省電力化を実現することが可能となる。
【００７４】
［その他の実施形態］
以上、本発明についていくつかの実施形態について説明したが、本発明は上記実施形態に限定されるものではない。
【００７５】
例えば、第３の実施形態において、帯域当たりの送信ビット指標として帯域当たりの送信情報ビット数（ＴＢＳ／ＲＢＧ数）を用いたが、これに限定されない。帯域当たりの送信ビット指標は、例えば、ＴＢＳ  ＩｎｄｅｘやＭＣＳ  Ｉｎｄｅｘとすることができる。
【００７６】
また、第３の実施形態の第３割り当て候補部１０７における割り当てＲＢＧ候補の更新方法として、帯域当たりの送信ビット指標が最初に帯域当たりの送信ビット指標の目標値に達した時点の候補を割り当てＲＢＧ候補として選択していたが、これに限定されない。例えば、全組み合わせに対する帯域当たりの送信ビット指標を計算し、帯域当たりの送信ビット指標が最も高くなる組み合わせを割り当てＲＢＧ候補として選択しても良い。
【００７７】
以上説明した第１〜第４およびその他の実施形態によれば、帯域当りの送信ビット指標が最大となるリソースブロックを割り当て候補として選択することができるので、伝送効率の高いＭＣＳを選択することができ、その結果、送信に必要な延べＲＢＧ数が低減できるので、省電力化を実現できる。
【００７８】
なお、以上説明した第１〜５およびその他の実施形態は、所定のハードウェア、例えば、回路として具現化することもできる。
【００７９】
また、以上説明した第１〜５およびその他の実施形態は、制御プログラムに基づいて図示しないコンピュータ回路（例えば、ＣＰＵ（Ｃｅｎｔｒａｌ  Ｐｒｏｃｅｓｓｉｎｇ  Ｕｎｉｔ））によって制御され、動作するようにすることができる。その場合、これらの制御プログラムは、例えば、割り当て装置、基地局、無線通信システム内部の記憶媒体、あるいは、外部の記憶媒体に記憶され、上記コンピュータ回路によって読み出され実行される。内部の記憶媒体としては、例えば、ＲＯＭ（Ｒｅａｄ  Ｏｎｌｙ  Ｍｅｍｏｒｙ）やハードディスク等を挙げることができる。また、外部の記憶媒体としては、例えば、リムーバブルメディアやリムーバブルディスク等を挙げることができる。
【００８０】
（付記１）
本発明の別の実施形態の割り当て無線リソース決定方法は、受信機と送信機の間で無線通信を行うために使用する割り当て無線リソース決定方法であって、前記送信機と前記受信機との間の無線通信路品質から品質指標値を計算するステップと、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定するステップと、を備え、前記第１の選択処理および前記第２の選択処理のうちの一方は、他方の選択結果に対して選択処理を実行する。
【００８１】
（付記２）
付記１に記載の割り当て無線リソース決定方法において、前記第２の選択処理は、前記第１の選択処理の選択結果に対して実行される。
【００８２】
（付記３）
付記１に記載の割り当て無線リソース決定方法において、前記第１の選択処理は、前記第２の選択処理の選択結果に対して実行される。
【００８３】
（付記４）
付記１〜３の何れかに記載の割り当て無線リソース決定方法において、前記第２の選択処理は、所定数のリソースブロックを割り当て候補として選択する。
【００８４】
（付記５）
付記４に記載の割り当て無線リソース決定方法において、前記所定数のリソースブロックは、通信路品質の低いリソースブロックを削除した結果として得られる。
【００８５】
（付記６）
付記１〜３の何れかに記載の割り当て無線リソース決定方法において、前記第２の選択処理は、帯域当りの送信ビット指標を計算し、前記帯域当りの送信ビット指標が所定の基準値以上のリソースブロックを割り当て候補として選択する。
【００８６】
（付記７）
付記１〜３の何れかに記載の割り当て無線リソース決定方法において、前記第２の選択処理は、帯域当りの送信ビット指標を計算し、前記帯域当りの送信ビット指標が最大となるリソースブロックを割り当て候補として選択する。
【００８７】
（付記８）
本発明の別の実施形態である割り当て無線リソース決定装置は、受信機と送信機の間で無線通信を行うために使用する割り当て無線リソース決定装置であって、前記送信機と前記受信機との間の無線通信路品質から品質指標値を計算する計算手段と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、を備え、前記決定手段において、前記第１の選択処理および前記第２の選択処理のうちの一方は、他方の選択結果に対して選択処理を実行する。
【００８８】
（付記９）
本発明の別の実施形態である無線通信システムは、受信機と、送信機と、前記受信機と前記送信機の間で無線通信を行うために使用する割り当て無線リソースを決定する割り当て無線リソース決定装置と、を備え、前記割り当て無線リソース決定装置は、前記送信機と前記受信機との間の無線通信路品質から品質指標値を計算する計算手段と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する決定手段と、を備え、前記決定手段において、前記第１の選択処理および前記第２の選択処理のうちの一方は、他方の選択結果に対して選択処理を実行する。
【００８９】
（付記１０）
本発明の別の実施形態であるコンピュータプログラムは、受信機と送信機の間で無線通信を行うために使用する割り当て無線リソースを決定する装置のコンピュータに、前記送信機と前記受信機との間の無線通信路品質から品質指標値を計算する機能と、所定のリソースブロック群の中から前記品質指標値を用いて送信情報ビット数が大きいリソースブロックを割り当て候補として選択する第１の選択処理と、所定のリソースブロック群の中から前記無線通信路品質が高いリソースブロックを割り当て候補として選択する第２の選択処理とを予め決定された順序で実行して、前記無線通信を行うための割り当てリソースブロックを決定する機能と、前記第１の選択処理および前記第２の選択処理のうちの一方は、他方の選択結果に対して選択処理を実行する機能と、を実行させる。
【００９０】
（付記１１）
付記１に記載の割り当て無線リソース決定方法において、前記送信機は基地局であり、前記受信機は端末である。
【００９１】
（付記１２）
付記１に記載の割り当て無線リソース決定方法において、前記送信機は端末であり、前記受信機は基地局である。
【００９２】
（付記１３）
付記６または７に記載の割り当て無線リソース決定方法において、前記帯域当りの送信ビット指標とは、送信データサイズである。
【００９３】
（付記１４）
付記６または７に記載の割り当て無線リソース決定方法において、前記帯域当りの送信ビット指標とは、ＭＣＳ  Ｉｎｄｅｘである。
【００９４】
（付記１５）
付記６または７に記載の割り当て無線リソース決定方法において、前記帯域当りの送信ビット指標とは、ＴＢＳ  Ｉｎｄｅｘである。
【符号の説明】
【００９５】
１００、３００    基地局
１０１    送受信部
１０２    リファレンス信号発生部
１０３、１０３Ａ、１０３Ｂ    割り当て部
１０４    割り当て決定部
１０５    第１割り当て候補選択部
１０６    第２割り当て候補選択部
１０７    第３割り当て候補選択部
１０８    第４割り当て候補選択部
２００、４００    端末
２０１    送受信部
２０２    通信路品質測定部
５００    無線リソース割り当て装置
５０２    計算部
５０４    決定部
【図１】
0005652193.tif 000007
【図２】
0005652193.tif 000008
【図３】
0005652193.tif 000009
【図４】
0005652193.tif 000010
【図５】
0005652193.tif 000011
【図６】
0005652193.tif 000012
【図７】
0005652193.tif 000013
【図８】
0005652193.tif 000014
【図９】
0005652193.tif 000015
【図１０】
0005652193.tif 000016
【図１１】
0005652193.tif 000017
【図１２】
0005652193.tif 000018
【図１３】
0005652193.tif 000019